(57)【要約】【課題】  本発明は、ヘアードライヤの本体内部のスペースを有効活用するものであり、通風量を多くし、意匠性・梱包性・携帯性に優れ、かつユーザの好みに応じて収納ケースに香料を入れる等種々の用い方ができるようにしたヘアードライヤを提供する。【解決手段】  一端に吸気口２、他端に吐風口３を有し、熱源１２、ファン１３及び該ファンを駆動するモータ１４を有する本体ハウジング４を内蔵した本体１０と、本体１０の後端部に折り畳み可能に接続されたハンドル３０とを備えたヘアードライヤ１において、本体ハウジング４と本体１０の内周面との間に形成された各隙間部分にはそれぞれ着脱自在に形成された中空筒状のケース２０を収納している。【選択図】  図３
2008295470.tif 000002
【特許請求の範囲】
【請求項１】
一端に吸気口、他端に吐風口を有し、熱源、ファン及び該ファンを駆動するモータを有する本体ハウジングを内蔵した本体と、前記本体の後端部に折り畳み可能に接続されたハンドルとを備えたヘアードライヤにおいて、前記本体ハウジングと前記本体の内周面との間に形成された各隙間部分にはそれぞれ着脱自在に形成された中空筒状のケースを収納していることを特徴とするヘアードライヤ。
【請求項２】
前記本体及びハンドルは軸方向ないし長手方向に直交する断面形状が実質的に矩形状をした角筒形状をなしていることを特徴とする請求項１に記載のヘアードライヤ。
【請求項３】
前記ケースは前記吸気口側及び吐風口側に着脱自在のキャップを取り付け、前記吐風口側のキャップに異物混入防止網を形成していることを特徴とする請求項１に記載のヘアードライヤ。
【請求項４】
前記ケースは香料を内部に収納していることを特徴とする請求項１に記載のヘアードライヤ。
【請求項５】
前記ケースは前記吸気口側のキャップに外方へ突出したツマミを備えていることを特徴とする請求項３に記載のヘアードライヤ。
【請求項６】
複数箇所に形成された前記ツマミは前記本体を載置するための脚部を形成していることを特徴とする請求項５に記載のヘアードライヤ。
【請求項７】
前記ケースは防音材を内部に収納していることを特徴とする請求項１に記載のヘアードライヤ。
【発明の詳細な説明】
【技術分野】
【０００１】
この発明は頭髪等の乾燥に用いられるヘアードライヤに係り、特に外観の美観性と収納性に優れかつ本体内部のスペースを有効利用したヘアードライヤに関する。
【背景技術】
【０００２】
従来、ヘアードライヤ、ヘアーブロッサあるいはハンドドライヤなどのヘアードライヤ類（以下、単に「へアードライヤ」という）として、種々のものが開発されている。
【０００３】
現在最も良く知られている形態のヘアードライヤとして、本体部とその後端部に折り畳み可能に接続されたハンドル部とからなるヘアードライヤがあるが、その例として下記の特許文献１〜４に記載したヘアードライヤが挙げられる。
【０００４】
下記特許文献１には、図５に示すように、熱風を送り出すドライヤ本体１０１と、ドライヤ本体１０１の後端部に折り畳み自在に連結されるハンドル１０２とを備え、ハンドル１０２の外周面は長手方向に直交する断面形状が全周に亘って曲線状となったヘアードライヤが示されている。このドライヤ本体１０１は円筒状に形成され、軸方向の一端に吸気口１０３が開口すると共に他端に吐出口１０４が開口する。吸気口１０３と吐出口１０４との間には略直線状の流路１０５が形成される。流路１０５内にはファン１０６、モータ１０７及びヒータ１０８などが配列される。ドライヤ本体１０１の吸気口１０３側の端部下面にはハンドル１０２が折り畳み自在に軸支されることで、本体１０１とハンドル１０２が折畳めるようになっている。
【０００５】
このヘアードライヤにおいては、ハンドルを握って使用する際に持ち易い構造とすべく断面を曲面としており、角がなく握りやすいようになっている。
【０００６】
一方、下記特許文献２には、少なくともファンの後縁部から吸い込み口の間で四角筒状の本体ハウジングの内周側に円筒形状の内管を設けて間に空間を介した二重構造にし、内管の上記空間側の外面側に吸音材を取り付けると共に吸音材と本体ハウジング内面との間に空気層を設けてなるヘアードライヤが開示されている。
【０００７】
図６に示すように、このヘアードライヤは、前側の一端に吸い込み口２０２を、後ろ側の他端に吐風口２０３を有する筒状の本体ハウジング２０１内部に、ファン２０４と、ファン２０４を駆動するモータ２０５と、モータ２０５の保持と風の整流を目的とした整流翼２０６とよりなる送風装置２０７を配置すると共に、本体ハウジング２０１内部に送風装置２０７より吐風口２０３側である後流側でヒータ２０８を配置したヘアードライヤにおいて、少なくともファン２０４の後縁部から吸い込み口２０２の間で本体ハウジング２０１の内周側に内管２０９を設けて間に空間を介した二重構造にし、内管２０９の上記空間側の外面側に吸音材２１０を取り付けると共に吸音材２１０と本体ハウジング２０１内面との間に空気層２１１を設けて成ることを特徴とする。
【０００８】
このヘアードライヤによれば、本体ハウジングと内管との間に広く空間を設けることで、吸音性能を向上させることができる。
【０００９】
一方、従来、送風量を増加させてより効率的な頭髪の乾燥を実現するためファンを拡大したり、下記特許文献３に示されるように駆動モータの回転数を増加したりすることで風量を増加させる手段が存在した。
【００１０】
また、下記特許文献４には、香水等の香気成分を温風と共にガス状にして衣服等に付香させることができるようにした香気噴出用ドライヤが開示されている。このヘアードライヤは、図７に示すように、ヘアードライヤ３０１のエア吹き出し口３０２に、香水等の香気成分を収容した容器３０３を着脱自在に装着し得るように構成されている。
【特許文献１】特公平２−１５２０３号公報（第１頁２３行目〜第２頁２２行目）
【特許文献２】特平８−３４３公報（請求項１、請求項５、図１、図５）
【特許文献３】特開２００５−１１８３６６（段落［００８２］）
【特許文献４】実開平７−１２００４（請求項１、段落［０００４］）
【発明の開示】
【発明が解決しようとする課題】
【００１１】
しかし、上記特許文献１に示す円筒形の本体及びハンドルを備えるヘアードライヤにおいては、商品を包装箱に梱包した際に生まれる隙間が大きく、安定した梱包をすることができなかった。そのため、僅かな衝撃で包装箱がつぶれてしまったり、破損してしまったりすることがたびたびあった。
【００１２】
また、上記特許文献２に示すヘアードライヤは、四角筒状の本体ハウジングの内周側に円筒形状の内管を設けて間に空間を介した二重構造にしたために、本体ハウジングと内管との間に空間が広く空いてしまうことから、その空間を有効に利用できる手段についての要望があった。
【００１３】
一方、上記特許文献３に開示されたヘアードライヤのように、送風量を増加させるためファンを拡大したりモータの回転数を増加させたりすると、本体の大型化に伴う持ち運び及び梱包の不便さや、電力の消費の激しさが目立っていた。
【００１４】
さらに、特許文献４に示すヘアードライヤは、香気成分入りの容器をエア吹き出し口若しくは吸い込み口に装着するため、ヘアードライヤの全長が長くなり、装置全体が大きくなって使い勝手が悪いという問題点があった。
【００１５】
本発明は、ヘアードライヤの本体内部のスペースを有効活用するものであり、該スペースに着脱自在に形成された中空筒状のケースを収納することで、通風量を多くし、意匠性・梱包性・携帯性に優れ、かつユーザの好みに応じて収納ケースに香料を入れる等種々の用い方ができるようにしたものである。
【課題を解決するための手段】
【００１６】
請求項１の発明に係るヘアードライヤは、一端に吸気口、他端に吐風口を有し、熱源、ファン及び該ファンを駆動するモータを有する本体ハウジングを内蔵した本体と、前記本体の後端部に折り畳み可能に接続されたハンドルとを備えたヘアードライヤにおいて、  前記本体ハウジングと前記本体の内周面との間に形成された各隙間部分にはそれぞれ着脱自在に形成された中空筒状のケースを収納していることを特徴とする。
【００１７】
請求項２の発明に係るヘアードライヤは、請求項１に記載のヘアードライヤにおいて、前記本体及びハンドルは長手方向に直交する断面形状が実質的に矩形状をした角筒形状をなしていることを特徴とする。
【００１８】
請求項３の発明に係るヘアードライヤは、請求項１に記載のヘアードライヤにおいて、前記ケースは前記吸気口側及び吐風口側に着脱自在のキャップを取り付け、前記吐風口側のキャップに異物混入防止網を形成していることを特徴とする。
【００１９】
請求項４の発明に係るヘアードライヤは、請求項１に記載のヘアードライヤにおいて、前記ケースは香料を内部に収納していることを特徴とする。
【００２０】
請求項５の発明に係るヘアードライヤは、請求項３に記載のヘアードライヤにおいて、前記ケースは前記吸気口側のキャップに外方へ突出したツマミを備えていることを特徴とする。
【００２１】
請求項６の発明に係るヘアードライヤは、請求項５に記載のヘアードライヤにおいて、複数箇所に形成された前記ツマミは前記本体を載置するための脚部を形成していることを特徴とする。
【００２２】
請求項７の発明に係るヘアードライヤは、請求項１に記載のヘアードライヤにおいて、前記ケースは防音材を内部に収納していることを特徴とする。
【発明の効果】
【００２３】
請求項１の発明によれば、本体ハウジングと本体の内周面との間に形成された各隙間部分にはそれぞれ着脱自在に形成された中空筒状のケースを収納しているので、本体内に流入する空気量が多くなり、少ない電気量で多くの量の送風を行うことができる。
【００２４】
請求項２の発明によれば、本体及びハンドルは長手方向に直交する断面形状が実質的に矩形状をした角筒形状をなしているので、美観性に優れ、かつ梱包等がしやすく収納性に優れたヘアードライヤを得ることができる。
【００２５】
請求項３の発明によれば、ケースは吸気口側及び吐風口側に着脱自在のキャップを取り付け、吐風口側のキャップに異物混入防止網を形成しているので、髪の毛やゴミ等の異物が吸気口から入り込んだとしても、この異物が網にひっかかるので熱源に混入して悪臭が発生してしまう事態を防止することができる。
【００２６】
請求項４の発明によれば、ケースはアロマオイル等の香料を内部に収納しているので、熱源からの熱でアロマオイルを蒸発させて、さらにファンからの送風で吐出口から芳香成分を放散させることで、髪の毛に香りを付着させたり、気分転換や目覚ましに利用したりすることができる。
【００２７】
請求項５の発明によれば、ケースは吸気口側のキャップに外方へ突出したツマミを備えているので、ケースの取り出しが非常に容易になる。
【００２８】
請求項６の発明によれば、複数箇所に形成されたツマミは本体を載置するための脚部を形成しているので、例えば不注意により電源を付けた状態で床面に吸気口を下にして本体を置いてしまったとしても、吸気口の接触面と床面との間に隙間が生まれるから、床面と接触することにより発生する異常過熱状態を防ぐことができる。
【００２９】
請求項７の発明によれば、ケースは防音材を内部に収納しているから、ヘアードライヤの主な騒音源である、吸気口からファンの周囲で発生する風の乱流音や本体ハウジング内部の気柱共鳴による音を吸音することができる。
【発明を実施するための最良の形態】
【００３０】
以下、図面を参照して、本発明の最良の実施形態を説明する。但し、以下に示す実施形態は、本発明の技術思想を具体化するためのヘアードライヤを例示するものであって、本発明をこのヘアードライヤに特定することを意図するものではなく、特許請求の範囲に含まれるその他の実施形態のものにも等しく適用し得るものである。
【実施例１】
【００３１】
図１は本発明の一実施形態に係るヘアードライヤの後方斜視図、図２は本発明の一実施形態に係るヘアードライヤを他の方向から見た図であり、図２（ａ）は前方斜視図、図２（ｂ）は平面図、図２（ｃ）は図２（ｂ）のＸ−Ｘ線で切断した右側断面図、図３は本発明の一実施形態に係るヘアードライヤの角部ポケットを示した図であり、図３（ａ）は角部ポケットを取り外した分解斜視図、図３（ｂ）は図３（ａ）のＡ部分を拡大した拡大分解斜視図、図３（ｃ）は図３（ａ）の角部ポケットの斜視図、図４は本発明の一実施形態に係るヘアードライヤの吸気口を下にして床面に載置した状態を示した図である。
【００３２】
本発明におけるヘアードライヤ１は、図１に示すように、一端に吸気口２、他端に吐風口３を有し、熱源、ファン及び該ファンを駆動するモータを有する本体ハウジング４を内蔵した本体１０と、本体１０の後端部に折り畳み可能に接続されたハンドル３０とを備えたものである。このヘアードライヤ本体１０及びハンドル３０は、角部に面取りを施して丸みを帯びた実質的に矩形状をなした角筒形状の成型体からなっている。かかる角筒形状のヘアードライヤは美観性・意匠性に優れ、また、通常梱包用の箱は矩形状であるので箱の角部分とヘアードライヤの角部分が適合し梱包等がしやすく収納性に優れている。
【００３３】
ハンドル３０は、本体１０の下面から突出した保持部４０を支点にして軸支され、折りたたみ可能に本体１０に取り付けられている。図２（ａ）に示すように、ハンドル３０には電源スイッチ３１が設けられ、ハンドル３０の底部には電源ケーブル３２が取り付けられている。
【００３４】
このヘアードライヤ本体１０のケース１１は、ハウジングカバー１１ａと後部カバー１１ｂとアタッチメント１１ｃとから構成されており、ポリカーボネートや耐熱性ＡＢＳ樹脂等の耐熱性プラスチックの成型品により構成される。ハウジングカバー１１ａは、熱源１２、ファン１３及び該ファンを駆動するファンモータ１４等の本体ハウジング４を被覆するものである。
【００３５】
図１に示すように、アタッチメント１１ｃは前方に向け先細りになって整風効果を持たせている。そして、ハウジングカバー１１ａの前方に着脱自在に取り付けられることでアタッチメント１１ｃの前端開口部は吐風口３となっており、この吐風口３から吐出される風により頭髪等を乾燥させることができる。後部カバー１１ｂは短尺な実質的に角筒状をなしており、ハウジングカバー１１ａの後方に取り付けられている。この後部カバー１１ｂの後端開口部は外気を導入するための吸気口２となっており、この吸気口２には例えば多数の蜂の巣状の孔を備えた金属板状の吸気ネット１５が取り付けられている。
【００３６】
図２に示すように、この本体１０のハウジングカバー１１ａの内部には、本体ハウジング４が形成されており、本体ハウジング４の一部として空気を加熱して熱風を発生する加熱室１６が設けられている。加熱室１６は熱源と熱源の外側を覆う内筒１７とから構成される。この空気の加熱は、例えばガスバーナーによる加熱や電磁誘導加熱手段による発熱を利用して行われる。
【００３７】
加熱室１６の後方には風を送るためのファンモータ１４を収納し、ファンモータ１４の後方には送風室１８が設けられ、送風室１８にはファンモータ１４に連結されたファン１３が備えられており、ファン１３は本体１０内の内筒１７に嵌合されている。送風室１８はファン１３により、後部カバー１１ｂの吸気口２から取り込んだ空気を加熱室１６に送りこむ。
【００３８】
ここで、本体１０は実質的に角筒状をなしていることから、本体内部空間から本体ハウジング４を備えた部分を除いた、四隅の角部にスペースが生まれることが分かる。そこでそれぞれの角部において生じたスペースを有効活用すべく、図３（ａ）、図３（ｂ）に示されるように本体１０内の本体ハウジング４を取り囲む内筒１７の外側に接するように角部ポケット１９がこの四隅の角部に形成されている。この角部ポケット１９は吸気口２から加熱室１６内へと連通しており、収納ケース２０を着脱自在に嵌め込むことができるようになっている。収納ケース２０も中空筒状をなしているため、吸気口２から取り入れた空気はこの収納ケース２０内を連通することとなる。収納ケース２０は吸気口２から空気を取り入れることができるため、円筒状のヘアードライヤに比べ本体内に流入する空気量が多くなり、少ない電気量で送風を行うことができる。
【００３９】
収納ケース２０は吸気口２側及び吐風口３側に着脱自在のキャップ２１を取り付け、吐風口３側のキャップ２１に異物混入防止網２２を形成しているので、髪の毛やゴミ等の異物が吸気口２から入り込んだとしても、これらの異物が異物混入防止網２２にひっかかるので加熱室１６に異物が混入して焦げ付くことにより悪臭が発生してしまう事態を防止することができる。この吸気口２側のキャップ２１には、外方へ突出するツマミ２３が形成されており、収納ケース２０を取り出しやすくなっている。収納ケース２０が取り出しやすくなることで、異物混入防止網２２に引っ掛かって収納ケース２０内に溜まったゴミを掃除しやすくなる。
【００４０】
また、収納ケース２０内には香料２４が収納され、熱源からの熱でアロマオイル等の香料を蒸発させて、さらにファン１３からの送風で吐出口３から芳香成分を放散させることで、髪の毛に香りを付着させたり、気分転換や目覚ましに利用したりすることができる。
【００４１】
ツマミ２３は四隅に形成されているので、図４に示すように本体１０を載置するための脚部を形成させることもできる。すなわち、例えば電源を付けっぱなしのまま床面に吸気口２を下にして本体１０を置いてしまったとしても、吸気口２の接触面と床面との間に隙間が生まれるから、床面と接触することにより発生する異常過熱状態を防ぐことができる。
【００４２】
なお図示はしないが、収納ケース２０の内部には防音材を収納してもよく、この場合には、ヘアードライヤ１の主な騒音源である、吸気口２からファン１３の周囲で発生する風の乱流音や本体ハウジング内部の気柱共鳴による音を吸音することができる。
【図面の簡単な説明】
【００４３】
【図１】図１は本発明の実施形態に係るヘアードライヤの後方斜視図である。
【図２】図２は本発明の実施形態に係るヘアードライヤを他の方向から見た図であり、図２（ａ）は前方斜視図、図２（ｂ）は平面図、図２（ｃ）は図２（ｂ）のＸ−Ｘ線で切断した右側断面図である。
【図３】図３は本発明の実施形態に係るヘアードライヤの角部ポケットを示した図であり、図３（ａ）は角部ポケットを取り外した分解斜視図、図３（ｂ）は図３（ａ）のＡ部分を拡大した拡大分解斜視図、図３（ｃ）は図３（ａ）の角部ポケットの斜視図である。
【図４】図４は本発明の実施形態に係るヘアードライヤの吸気口を下にして床面に載置した状態を示した図である。
【図５】図５は従来のヘアードライヤの一部断面図及び背面図である。
【図６】図６は他の形態にかかる従来のヘアードライヤの一部断面図である。
【図７】図７はさらに他の形態にかかる従来のヘアードライヤの一部分解図である。
【符号の説明】
【００４４】
１        ヘアードライヤ
２        吸気口
３        吐風口
４        本体ハウジング
１０      本体
１１      ケース
１１ａ    ハウジングカバー
１１ｂ    後部カバー
１１ｃ    アタッチメント
１２      熱源
１３      ファン
１４      ファンモータ
１５      吸気ネット
１６      加熱室
１７      内筒
１８      送風室
１９      角部ポケット
２０      収納ケース
２１      キャップ
２２      異物混入防止網
２３      ツマミ
２４      香料
３０      ハンドル
３１      電源スイッチ
３２      電源ケーブル
４０      保持部
【図１】
2008295470.tif 000003
【図２】
2008295470.tif 000004
【図３】
2008295470.tif 000005
【図４】
2008295470.tif 000006
【図５】
2008295470.tif 000007
【図６】
2008295470.tif 000008
【図７】
2008295470.tif 000009